(57)【要約】【課題】  水や電気を使わず、男女ともに適用可能な構造で、かつ、大便と小便が混ざることによる臭気や感染症の拡大を回避できるとともに、排泄物の処理を簡易化できる排泄用具を提供することである。【解決手段】  上部開口部と下部開口部の間が貫通し内側が中空とされ、外側が手で保持される開口部材と、前記開口部材に取り付けられて大便又は小便を収容する袋体とを備えるように排泄用具を構成する。前記袋体が取り付けられた開口部材の上部を肛門又は女性陰部に密着させ、若しくは該開口部材の上部から男性陰部を挿入して使用する。開口部材を２つとし、それぞれに袋体を取り付け、排便用と排尿用とにしてもよく、一つの開口部材に一つの袋体を取り付け排尿用とすると共に、開口部材に排便用の容器を連結させ、容器の内側に袋体を取り付けるように構成してもよい。【選択図】  図１
0003216528.tif 000002
【実用新案登録請求の範囲】
【請求項１】
上部開口部と下部開口部の間が貫通し内側が中空とされ、外側が手で保持される開口部材と、
前記開口部材に取り付けられて大便又は小便を収容する袋体と、を備え、
前記袋体が取り付けられた開口部材の前記上部開口部を肛門又は女性陰部に直接又は袋体を介して密着させ、若しくは該開口部材の上部から男性陰部を挿入させて使用することを特徴とする、排泄用具。
【請求項２】
前記上部開口部付近に、手で保持するための支持部が設けられた、請求項１に記載の排泄用具。
【請求項３】
前記袋体が前記開口部材の内側に挿入され該袋体の上部を前記開口部材の外側に向かって折り返すようにして取り付けられる、請求項１又は２に記載の排泄用具。
【請求項４】
前記袋体の中に大便又は小便が収容された後に該袋体を一時的に密閉する袋体閉止具であって、連結具により前記開口部材に接続された袋体閉止具を備える、請求項１〜３のいずれか一項に記載の排泄用具。
【請求項５】
前記開口部材に取り付けられた前記袋体を排尿用とし、前記開口部材に容器が連結部材又は容器保持具により連結され、該容器の内側に大便を収容するための袋体が取り付けられるように構成した、請求項１に記載の排泄用具。
【請求項６】
前記袋体がそれぞれ取り付けられた前記開口部材を２つ備え、該開口部材どうしが前記連結部材により接続された、請求項１〜５のいずれか一項に記載の排泄用具。
【請求項７】
前記２つの開口部材は、上方から下方にかけて窄まった同一の形状を有する請求項６に記載の排泄用具。
【請求項８】
前記連結具又は前記連結部材の少なくとも一方が伸縮自在な請求項４、６又は７のいずれか一項に記載の排泄用具。
【考案の詳細な説明】
【技術分野】
【０００１】
本考案は、大便や小便をする際に水洗式等のトイレに代わって用いられる排泄用の道具に関するものである。本明細書において、「排泄物」は大便と小便（尿）を指し、「排泄」は大便及び／又は小便を行うことを指すものとする。
【背景技術】
【０００２】
現在、日本国内において、排泄には、一般に水洗式のトイレが用いられている。しかし、水洗式トイレや汲み取り式その他のトイレ設備が使用できない場面は種々存する。一例として、山や海などアウトドア、野外スポーツ時、野外コンサート等のイベント時、渋滞中の車内などが挙げられる。また、屋内施設であってもトイレ数が少ないのに対し使用者が多数存する場合や、過疎地などインフラが未整備でトイレ設備が十分に整っていない場所も存する。
【０００３】
更に、より困難な問題が生じるのは、例えば大地震や水害といった災害が起きた場合である。災害が起きると、例えば水洗式トイレに水が流れず、自宅にいたとしてもトイレが使用できないなどの事態もあり得る。特に、大規模災害時には、極めて多数の人がトイレを使用できなくなるといったことが想定されなければならない。
【０００４】
水洗式等のトイレ設備に代わるものとして、従来から簡易式のトイレや携帯式のトイレといったものが提案されている（一例として特許文献１）。
【０００５】
これら従来の排泄用具は、大便と小便を分別せずに収容することを前提としている。しかし、大便は腸管系統由来で多数の細菌を含む固形又は流動状であるのに対し、小便は血管系統由来で無菌ないし菌の数は少ない液体で尿素等を含むなど、両者は本来全く性質が異なる。これらを分別せずに収容すると、悪臭が増大するのみならず、多数の細菌を含む排泄物全体の容量が増大するため、病原体の感染が拡大するおそれが高まり、衛生上、重大な問題が生じ得る。
【０００６】
更に、大便と小便を混在させて収容すると、両者の成分が混ざり合ってしまうため、処理がより難しくなり、処理方法も限定される。例えば、本来焼却処理できる大便に小便が混ざり水分が増すと、焼却されにくくなる。大便と小便が混在した排泄物を処理するには、例えば水洗トイレに流すなど、水を利用することが考えられるが、災害時などは水の使用が制限されるため、排泄物を処理できないおそれが高くなる。また、凝固剤や殺菌・消臭剤を添加する場合、大便と小便が混在した排泄物にはより多くのもの及び／又は強力なものを添加せざるを得ず、例えばこれを下水に流すと添加物が分解されずに海へ流れ出るなど、環境悪化を促進させる要因になるおそれもある。
【０００７】
一方、大便と小便を分別して排泄し処理できるようにするにあたっては、特に女性の排泄にどのように対応するかが解決されなければならず、これまで適切なものが提案されてこなかった。
【先行技術文献】
【特許文献】
【０００８】
【特許文献１】特開２０１６−０５９７２０号
【考案の概要】
【考案が解決しようとする課題】
【０００９】
本考案は以上の問題に鑑みてなされたものであり、水や電気を使わず、男女ともに適用可能な構造で、かつ、大便と小便が混ざることによる臭気や感染症の拡大を回避できるとともに、排泄物の処理を簡易化できる排泄用具を提供することを課題とする。また、環境に配慮するとともに、排泄物の資源化を図り、物質循環の実現に資する排泄用具を提供することを課題とする。
【課題を解決するための手段】
【００１０】
上記課題を解決するため、第１の側面として、本考案は、
上部開口部と下部開口部の間が貫通し内側が中空とされ、外側が手で保持される開口部材と、
前記開口部材に取り付けられて大便又は小便を収容する袋体と、を備え、
前記袋体が取り付けられた開口部材の前記上部開口部を肛門又は女性陰部に直接又は袋体を介して密着させ、若しくは該開口部材の上部から男性陰部を挿入させて使用することを特徴とする、排泄用具を提供する。
第２の側面として、本考案は、
前記上部開口部付近に、手で保持するための支持部が設けられた排泄用具を提供する。
第３の側面として、本考案は、
前記袋体が前記開口部材の内側に挿入され該袋体の上部を前記開口部材の外側に向かって折り返すようにして取り付けられる排泄用具を提供する。
第４の側面として、本考案は、
前記袋体の中に大便又は小便が収容された後に該袋体を一時的に密閉する閉止具であって、連結具により前記開口部材に接続された袋体閉止具を備える排泄用具を提供する。
第５の側面として、本考案は、
前記開口部材に取り付けられた前記袋体を排尿用とし、前記開口部材に容器が連結部材又は容器保持具により連結され、該容器の内側に大便を収容するための袋体が取り付けられるように構成した排泄用具を提供する。
第６の側面として、本考案は、
前記袋体がそれぞれ取り付けられた開口部材を２つ備え、該開口部材どうしが前記連結部材により接続された排泄用具を提供する。
第７の側面として、本考案は、
前記２つの開口部材は、上方から下方にかけて窄まった同一の形状を有する排泄用具を提供する。
第８の側面として、本考案は、
前記連結具又は前記連結部材の少なくとも一方が伸縮自在な排泄用具を提供する。
【考案の効果】
【００１１】
本考案によれば、男女を問わず同じ構造の用具を用いることができる。
【００１２】
また、本考案によれば、排泄時に大便と小便を分別できる。その結果、これらを混在させることによる臭気や衛生の悪化を防ぐことが可能となる。加えて、大便と小便が混じることを回避できるため、それぞれに適した処理を行い得るものとなり、排泄物の処理を容易化することが可能となる。
【図面の簡単な説明】
【００１３】
【図１】本考案の一実施形態を示す図である。
【図２】本考案の一実施形態に用いられる開口部材を示す図であり、（ａ）は上方から見た斜視図、（ｂ）は平面図である。
【図３】本考案の一実施形態に用いられる開口部材に、連結具により接続された袋体閉止具を示す図である。
【図４】本考案の他の実施形態において用いられる開口部材が連結部材により接続された例を示す図である。
【図５】本考案の他の実施形態に用いられる開口部材と連結部材の一例を示す図である。
【図６】本考案の他の実施形態を示す図である。
【図７】本考案の他の実施形態において、排便用に容器を用いる例を示す図である。
【図８】本考案の他の実施形態において用いられる開口部材に、連結具により接続された容器保持具を示す図である。
【図９】本考案の他の実施形態の排便用に容器を用いる例において、袋体が内側に取り付けられた容器の一例を示す図である。
【図１０】本考案の他の実施形態において、不要時の連結部材を開口部材に取り付けた状態の一例を示す図である。
【図１１】本考案の他の実施形態において、開口部材を重ねて収納する状態の一例を示す図である。
【考案を実施するための形態】
【００１４】
以下、本考案の排泄用具を図面に基づいて具体的に説明する。
【００１５】
本明細書記載の実施形態は一例に過ぎず、本考案はこれらのみに限定されるものではない。
【００１６】
（実施形態１）
実施形態１は、本考案の基本的な形態であり、１つの開口部材と、これに取り付けられる１つの袋体を備えるものである。図１は開口部材２に袋体３が取り付けられる排泄用具１の例を示す。
【００１７】
図２を参照し、開口部材２は、上下に貫通した中空体であり、上部開口部６と下部開口部７とを有している。上部開口部と下部開口部は、排泄時に小便や大便を通過させるため、それに適した程度の大きさ及び形状とする。排泄時に小便や大便を無理なく通過させ得るものであれば、上部開口部と下部開口部の大きさ及び形状は、同じでもよく、異なっていてもよい。上部開口部は、肛門や陰部にあてがうのに適した大きさ及び形状であるのが好ましい。
【００１８】
これらの開口部、及び開口部材自体は、携帯できる程度の大きさと形状であることが好ましい。開口部の形状は、例えば、円形、楕円形、半円形、四角形等とすることができる。限定されるものでないが、一例として図２に示されるように、これらの開口部の形状を略半円形状ないし略楕円形状とし、直径ないし長軸（図の左右方向）の長さを８５ｍｍ程度、半径ないし短軸（図の上下方向）の長さを４５ｍｍ程度とすると、排泄時に尿や便を無理なく通過させることができると共に、排泄用具が携帯し易い大きさとなる。
【００１９】
本考案の排泄用具の使用時に、開口部材の外側８が、直接に、または間接的に（例えば、後述のように開口部材の外側に向かって袋体が折り返すようにして取り付けられた場合、袋体を介して）、使用者の手により保持される。そのため、開口部材の外側８、すなわち上部開口部から下部開口部にかけて伸びる外側の側壁は、そのように手で保持できる程度の高さを有するものとする。例えば側壁の高さを３０ｍｍ程度とすると、手で保持し易い一方、開口部材の大きさが抑えられる。
【００２０】
また、本考案の排泄用具は、後述のように開口部材の外側を手で保持するものである。そこで、上部開口部付近に支持部９を設けると好適である。図２はかかる一例を示すものであり、上部開口部の全体を外側に向かって広げるように構成すると、この広げた部分９（の内側、図２において符号９で示される部分の裏側）が手（主に人差し指及び／又は親指）に接触して排泄用具が支持されやすいものとなる。支持部は、開口部材とは別の部材により構成してもよい。
【００２１】
開口部材の材質は特に限定されないが、一例として、プラスチック等の樹脂製、金属製等とすることができる。
【００２２】
本実施形態の排泄用具においては、上部に開口（上部開口部）を有し内側に大便又は小便を収容する袋体３が、開口部材に取り付けられる。
【００２３】
袋体の素材は、容易に破損しないものを適宜選択する。一例として、素材を高密度ポリエチレン（ＨＤＰＥ）とし、厚さを０．０２ｍｍ程度とすることができる。また、袋体の大きさ（縦の長さや、袋体開口部の大きさなど）も適宜選択することができ、例えば縦の長さは４００ｍｍ程度とすることができる。
【００２４】
開口部材に対する袋体の取付け方としては、袋体の上部開口部付近に開口部材を挿入し、袋体上部の外側から開口部材の外側（側壁）を手で保持することができる。
【００２５】
図１に示されるように、開口部材の下部開口部７から袋体の上部を挿入し、この袋体の上部を上部開口部６から取り出し、外側に向かって折り返すようにして取り付けることもできる。この場合、折り返した袋体上部（袋体上部の内側１０）を介して開口部材の外側８を手で保持することになるので（なお、開口部材の「外側が手で保持される」ということには、このように袋体を介して開口部材の外側を手で保持することも含まれるものとする）、袋体が落下しにくくなり、好適である。
【００２６】
本考案の排泄用具においては、袋体の中に大便又は小便が収容された後に、該袋体を一時的に密閉する袋体閉止具を設けることもできる。かかる部材を設けることにより、収容物を処理ないし長期保管するまでの一時保管がされやすいものとなる。袋体閉止具は、収容物が一時的に漏れないように閉じるものであればよく、少ない操作で留めることができる構成にすると好適である。
【００２７】
図３に袋体閉止具の一例を示す。図３では、袋体閉止具２６として、側面に切れ込み１１が設けられた直方体状のケース１２の内部にコイルばね（図示せず）を取り付け、前記切れ込みに対応する凹部（図示せず）を有する押し部材１３でこのばねに押力を加えたりこれを解放したりする従来の留め具が示されている。押し部材に押力を加え、切れ込みと凹部とを合わせて袋体を密閉する箇所をあてがった後、押し部材に加えている押力を解放して切れ込みと凹部がずらされると、当該箇所がこれらの間に噛まれるため、袋体が容易に密閉される。
【００２８】
図３に示されるように、袋体閉止具２６は、連結具１４により開口部材２に接続されるように構成すると、袋体閉止具の紛失を防ぐことができ、好適である。例えば、開口部材に孔１５を設け、袋体閉止具を、ナイロンなど合成繊維を素材とするテグス（連結具の一例）により接続させる。
【００２９】
連結具は、伸縮可能・伸縮自在に構成してもよい。例えばゴムなどの弾性部材や樹脂コイルなどのように、引っ張ることで伸長し、引張力を解放すると元の長さに戻るようにすると、袋体閉止具により袋体を留め易くなる。
【００３０】
本考案において大便又は小便を収容する容器についても、破損しにくいものであればよく、樹脂製などのほか、例えば収容物が漏れにくいものであれば紙製などでもよい。
【００３１】
本考案の排泄用具の使用方法は次のとおりである。袋体を、上述のようにして開口部材に取り付ける。その後、開口部材の外側を手で保持し、開口部材の上部開口部を肛門（排便の場合）又は女性陰部（女性の排尿の場合）に近接させ、開口部材の上部開口部をこれらに直接、又は袋体を介し間接的に密着させ、若しくは該開口部材の上部から男性陰部を挿入させて（男性の排尿の場合）、使用する。
【００３２】
使用した袋体や後述の容器は、開口部材から取り外し（袋体閉止具や容器保持具を使用する場合はこれらから取り外し）、適宜処理する。袋体閉止具から取り外した袋体は、輪ゴムなどにより密閉することもできる。
【００３３】
（実施形態２）
本実施形態は、前記袋体又は容器が取り付けられた開口部材を２つ備える場合に関する。
【００３４】
前述のような開口部材（形状や大きさは同一でもよく、異なっていてもよい）を２つ用意し、両者を連結部材により接続する。図４に一例を示す。連結部材は、ナイロンなど合成繊維を素材とするテグスとすることができるが、伸縮可能、伸縮自在とすることもできる。例えば弾性部材（ゴムなど）やコイル１９（図５の例。コイル部分は樹脂製等とすることができる。）などのように、引っ張ることで伸長し、引張力を解放すると元の長さに戻るように伸縮自在に構成すると、排泄用具の使用時に位置を調整し易くなるため好適である。
【００３５】
開口部材どうしは、図４（ａ）に示されるように同じ向きで並列して連結させることができるが、図４（ｂ）に示されるように、開口部材どうしを逆向きにして連結させると、後述及び図１１のように開口部材を収容する場合に重ねやすく便宜である。
【００３６】
また、連結部材は、開口部材への取り付け及び取り外しが容易になるように構成することもできる。例えば図５に示されるように、連結部材の両端に鉤状の留め具２０、２１を設けるとともに、２つの開口部材にそれぞれ留め具用の孔２２、２３を設け、一方の留め具２０を一つの開口部材の孔２２に取り付け、他方の留め具２１をもう一つの開口部材の孔２３に取り付けるように構成することができる。この例においても、開口部材どうしを逆向きにして連結させることができる。なお、以下に述べる他の例においても、同様に開口部材どうしを逆向きにして連結させることができる。
【００３７】
一例として、図６に示される排泄用具２５のように、２つの開口部材において、各々の開口部材に袋体３を取り付ける。そして、一方の袋体と開口部材を排尿用とし、もう一方の袋体と開口部材を排便用とする。このように構成することにより、排尿と排便が同時にできる排泄用具とすることができる。
【００３８】
他の例として、一つの開口部材に一つの袋体３を取り付けるようにすると共に、別途用意した袋体が内側に取り付けられた容器を開口部材に連結するように構成してもよい。容器４を連結部材１９により取り付けた例を図７に示す。この場合、連結部材の一端が容器と連結する。この例においては、開口部材及びこれに取り付けられた袋体を排尿用とし、容器及びその内側に取り付けられた袋体を排便用として使用することができる。容器を用いる場合も袋体の外側の容器を手で保持することとなるため、（袋体のみでは排便が容易でないのに対し）、容器によって安定して使用することが可能となる。
【００３９】
図７に示されるように、袋体の上部を容器４の上部から外側に向かって折り返すようにして取り付けてもよい。この場合、折り返した袋体上部を介して容器４の外側を手で保持できるので、より安定して使用することが可能である（なお、容器の「外側を手で保持」ということには、このように袋体を介して容器の外側を手で保持することも含まれるものとする）。更に、排便後は袋体を容器から容易に取り出して、大便を袋体ごと保管ないし処理することができる。容器は汚さずに何度も利用することが可能である。
【００４０】
本考案によれば、容器につき、日常用いられている大きめの紙コップなどを取替品として使用することができるが、その場合は、連結部材の一端をある程度鋭利な形状にすれば、これを紙コップである容器に直接刺して連結させることも可能である。
【００４１】
なお、本考案によれば、上記のとおり容器を日常用いられている大きめの紙コップなどを取替品として使用することができるため、災害その他の緊急時等において可及的、応急的に対応することが可能となる。
【００４２】
容器は、連結部材（図７等参照）のほか、容器保持具により、開口部材と連結させてもよい。容器４を容器保持具で取り付ける場合の容器保持具の一例を図８に示す。図８に示されるように、容器保持具１６を例えば鰐口クリップのように構成すると、容器を着脱自在に保持することができるものとなる。容器保持具は図８に示されるように、開口部材２に設けられた孔にテグス等の連結具１７で結合させるものとしてもよい。連結具は、伸縮可能・伸縮自在に構成してもよい。例えばゴムなどの弾性部材や樹脂コイルなどのように、引っ張ることで伸長し、引張力を解放すると元の長さに戻るようにすると、容器保持具により容器を留め易くなる。
【００４３】
容器４を容器保持具１６で留め、容器の内側に袋体３を取り付ける場合の一例を図９に示す。容器の内側に取り付けた袋体内に排便することで、容器を汚すことなく大便を収容し保管ないし処理することができる。
【００４４】
なお、図５の連結部材１９を用いる例において、一つの開口部材に孔を２つ設け、連結部材を使用しない場合の連結部材の保持の機能を持たせることもできる。すなわち、開口部材と袋体を各一つのみ使用する場合、連結部材は不要となるが、この場合に連結部材の両端を使用しない開口部材の２つの孔にそれぞれ取り付けることにより、連結部材がこの開口部材により保持される。図１０に、開口部材２において孔２３のほかに孔２４を設け、留め具２０と２１をそれぞれ孔２３と２４に挿入することにより連結部材１９を開口部材２に取り付けた状態を示す。
【００４５】
２つの開口部材を、上方から下方にかけて窄まった同一の形状を有するように構成することもできる。このように構成すると、図１１に示されるように、使用しない時に２つの開口部材を重ねた状態で保管でき、保管スペースを節約できるので有利である。
【産業上の利用可能性】
【００４６】
本考案によれば、男性にも女性にも適用できる、簡易な構造の排泄用具を提供することができる。
【００４７】
また、男女を問わず、排泄時に大便と小便を分別できる。その結果、これらを混在させることによる臭気や衛生の悪化を防ぐことが可能となる。更に、大便と小便が混じることを回避できるため、それぞれに適した処理を行い得るものとなり、排泄物の処理を容易化することが可能となる。
【００４８】
そのため、本考案の排泄用具は、例えば山や海などアウトドア、野外スポーツ時、野外コンサート等のイベント時、渋滞中の車内など、トイレが設置されていないような場所のほか、屋内施設であってもトイレ数が少ないのに対し使用者が多数存する場合や、インフラが未整備でトイレ設備が十分に整っていない場所などでの排泄においても用いることが可能となる。
【００４９】
更に、大地震や水害などの災害が生じ、トイレが使用できない事態においても、多数人が排泄に利用でき、悪臭や感染症対策にも可及的に対応することができる。しかも、排泄物の処理も容易である。
【００５０】
加えて、本考案によれば、大便と小便を分別できるため、自然に還元し易く、廃棄物を減らすこととなり、環境に配慮するものとなるほか、例えば肥料にするなど排泄物の資源化を図り易く、物質循環の実現に資するものとなる。
【００５１】
上記諸点は日本国内に限られるものでなく、本考案の排泄用具は海外でも同様に用いることができる。
【００５２】
従って、本考案の産業上の利用可能性は極めて高い。
【符号の説明】
【００５３】
１、２５  排泄用具
２  開口部材
３  袋体
４  容器
６  上部開口部
７  下部開口部
８  開口部材の外側
９  支持部
１０  袋体の上部内側
１１  切れ込み
１２  直方体状のケース
１３  押し部材
１４、１７  連結具
１５、２２、２３、２４  孔
１６  容器保持具
１８、１９  連結部材
２０、２１  鉤状の留め具
２６  袋体閉止具
【図１】
0003216528.tif 000003
【図２】
0003216528.tif 000004
【図３】
0003216528.tif 000005
【図４】
0003216528.tif 000006
【図５】
0003216528.tif 000007
【図６】
0003216528.tif 000008
【図７】
0003216528.tif 000009
【図８】
0003216528.tif 000010
【図９】
0003216528.tif 000011
【図１０】
0003216528.tif 000012
【図１１】
0003216528.tif 000013
【手続補正書】
【提出日】平成30年4月6日(2018.4.6)
【手続補正１】
【補正対象書類名】実用新案登録請求の範囲
【補正対象項目名】全文
【補正方法】変更
【補正の内容】
【実用新案登録請求の範囲】
【請求項１】
上部開口部と下部開口部の間が貫通し内側が中空とされ、外側が手で保持される開口部材と、  前記開口部材に取り付けられて大便又は小便を収容する袋体と、を備え、  前記袋体が取り付けられた開口部材の前記上部開口部を肛門又は女性陰部に直接又は袋体を介して密着させ、若しくは該開口部材の上部から男性陰部を挿入させて使用することを特徴とする、排泄用具。
【請求項２】
前記上部開口部付近に、手で保持するための支持部が設けられた、請求項１に記載の排泄用具。
【請求項３】
前記袋体が前記開口部材の内側に挿入され該袋体の上部を前記開口部材の外側に向かって折り返すようにして取り付けられる、請求項１又は２に記載の排泄用具。
【請求項４】
前記袋体の中に大便又は小便が収容された後に該袋体を一時的に密閉する袋体閉止具であって、連結具により前記開口部材に接続された袋体閉止具を備える、請求項１〜３のいずれか一項に記載の排泄用具。
【請求項５】
前記開口部材に取り付けられた前記袋体を排尿用とし、前記開口部材に容器が連結部材又は容器保持具により連結され、該容器の内側に大便を収容するための袋体が取り付けられるように構成した、請求項１に記載の排泄用具。
【請求項６】
前記袋体がそれぞれ取り付けられた前記開口部材を２つ備え、該開口部材どうしが連結部材により接続された、請求項１〜４のいずれか一項に記載の排泄用具。
【請求項７】
前記２つの開口部材は、上方から下方にかけて窄まった同一の形状を有する請求項６に記載の排泄用具。
【請求項８】
前記連結具が伸縮自在な請求項４に記載の排泄用具。
【請求項９】
前記連結部材が伸縮自在な請求項６又は７に記載の排泄用具。